(57)【要約】【課題】特別なユーザ操作によらなくても、タグ装置を所持したユーザが、入場の意図なく、タグリーダ等の質問信号の送信元の付近を単に通り過ぎたに過ぎない場合に、扉が不測に解錠するのを効果的に抑制可能なタグ装置を提供する。【解決手段】タグ装置２００は、受信した質問信号のレベルが、所定値以上であるか否かの判定を行う判定部２０６と、判定部２０６が、前記レベルが所定値以上であるとの判定を行った場合には、自装置の識別情報を含ませた応答信号を送信し、判定部２０６が、前記レベルが所定値以上でないとの判定を行った場合には、前記応答信号を送信しないよう制御する制御部２０７とを備える。【選択図】図２
2012133463.tif 000002
【特許請求の範囲】
【請求項１】
受信した質問信号のレベルが、所定値以上であるか否かの判定を行う判定手段と、
前記判定手段が、前記レベルが所定値以上であるとの判定を行った場合には、自装置の識別情報を含ませた応答信号を送信し、前記判定手段が、前記レベルが所定値以上でないとの判定を行った場合には、前記応答信号を送信しないよう制御する制御手段とを備える
ことを特徴とするタグ装置。
【請求項２】
前記質問信号には、
通信距離を制限するか否かを示す情報が含まれており、
前記制御手段は、
前記判定手段が、前記レベルが所定値以上でないとの判定を行った場合において、受信した質問信号に含まれている情報が通信距離を制限することを示すときに限って、前記応答信号を送信しないよう制御する
ことを特徴とする請求項１記載のタグ装置。
【請求項３】
前記質問信号は、ＬＦ帯にて送信されるものであり、
前記判定手段は、
前記質問信号を受信可能な当該質問信号の送信元と自装置との間の最大距離よりも近距離で当該質問信号を受信した場合の当該質問信号のレベルを前記所定値として前記判定を行う
ことを特徴とする請求項１記載のタグ装置。
【発明の詳細な説明】
【技術分野】
【０００１】
本発明は、タグリーダからの質問信号に呼応して応答信号を送信するタグ装置（アクティブタグ）に関し、応答信号の送信制御技術に関する。
【背景技術】
【０００２】
タグリーダとタグ装置とを利用し、以下のようにして、入場者の管理を行う入場管理システムが知られている。
タグリーダは、入場を行うための扉の付近に設置されており、質問信号を繰り返し送信する。タグ装置を所持したユーザがタグリーダからの質問信号を受信可能なエリアに入ると、このタグ装置は、質問信号を受信して自装置の識別情報（以下、「タグＩＤ」という）を含む応答信号を送信する。
【０００３】
タグリーダは、この応答信号を受信すると、応答信号に含まれるタグＩＤを、入場の認証を行うゲートユニットに送信する。ゲートユニットは、入場を許可されたユーザが所持するタグ装置のタグＩＤのリストを記憶しており、このリストと受信したタグＩＤとに基づいて認証を行い、認証結果に応じて上記扉の解錠を制御する。
【０００４】
このように、タグ装置を所持したユーザが質問信号を受信可能なエリアに入ると、このタグ装置は、質問信号に呼応して自動的に応答信号を送信するので、ユーザの入場の意思によらず、扉の解錠が行われてしまう場合がある。
【０００５】
つまり、ユーザが、入場しようと扉に向かって移動し、質問信号を受信可能なエリアに入った場合のみならず、単に扉の付近を通り過ぎようとして、質問信号を受信可能なエリアに入ってしまった場合にも、扉の解錠が行われることになる。この結果、解錠された扉から、誰でも入場できてしまうというセキュリティ上好ましくない事態が発生し得る。
【０００６】
これに対しては、通信を行うか否かを制限する技術（例えば、特許文献１）を上記タグ装置に適用することが考えられる。
特許文献１の技術は、電子マネー等を利用するためのＩＣ（Integrated Circuit）カード機能を有する携帯端末装置において、ＩＣカード機能の有効、無効を制御するものである。具体的には、通常は、カードリーダとの通信ができないロック状態に制御しておき、ユーザから所定の操作を受け付けたときにだけ、カードリーダとの通信が可能なロック解除状態に制御するというものである。
【先行技術文献】
【特許文献】
【０００７】
【特許文献１】特開２００７−１４８６７０号公報
【発明の概要】
【発明が解決しようとする課題】
【０００８】
しかしながら、上記特許文献１の技術をタグ装置に適用した場合、ユーザは、入場を行う際に、いちいち所定の操作を行う必要があり、面倒である。
そこで、本発明は係る問題に鑑みてなされたものであり、特別なユーザ操作によらなくても、タグ装置を所持したユーザが、入場の意図なく、タグリーダ等の質問信号の送信元の付近を単に通り過ぎたに過ぎない場合に、扉が不測に解錠するのを効果的に抑制可能なタグ装置を提供することを目的とする。
【課題を解決するための手段】
【０００９】
上記課題を解決するために本発明に係るタグ装置は、受信した質問信号のレベルが、所定値以上であるか否かの判定を行う判定手段と、前記判定手段が、前記レベルが所定値以上であるとの判定を行った場合には、自装置の識別情報を含ませた応答信号を送信し、前記判定手段が、前記レベルが所定値以上でないとの判定を行った場合には、前記応答信号を送信しないよう制御する制御手段とを備えることを特徴とする。
【００１０】
また、前記質問信号には、通信距離を制限するか否かを示す情報が含まれており、前記制御手段は、前記判定手段が、前記レベルが所定値以上でないとの判定を行った場合において、受信した質問信号に含まれている情報が通信距離を制限することを示すときに限って、前記応答信号を送信しないよう制御することとしてもよい。
【００１１】
また、前記質問信号は、ＬＦ帯にて送信されるものであり、前記判定手段は、前記質問信号を受信可能な当該質問信号の送信元と自装置との間の最大距離よりも近距離で当該質問信号を受信した場合の当該質問信号のレベルを前記所定値として前記判定を行うこととしてもよい。
【発明の効果】
【００１２】
上述の構成を備える本発明に係るタグ装置は、特別なユーザ操作によらずとも、タグ装置を所持したユーザが、入場の意図なく、タグリーダ等の質問信号の送信元の付近を単に通り過ぎたに過ぎない場合に、扉が不測に解錠するのを効果的に抑制し得る。
【図面の簡単な説明】
【００１３】
【図１】実施の形態に係る入場管理システム１０００が利用される施設の見取り図
【図２】実施の形態に係る入場管理システム１０００のシステム構成図
【図３】実施の形態に係る質問信号１０及び応答信号２０のデータ構成を示す図
【図４】実施の形態に係るタグリーダ１００Ａの処理を示すフローチャート
【図５】実施の形態に係るタグ装置２００の処理を示すフローチャート
【発明を実施するための形態】
【００１４】
以下、本発明の一実施形態に係るタグ装置を用いた入場管理システムを、図面を参照しながら説明する。
≪実施の形態≫
＜概要＞
図１は、実施の形態に係る入場管理システム１０００が利用される施設の見取り図である。
【００１５】
同図に示すように建物１は、入口となるエントランスホール２、オフィス３、サーバルーム５等に区画されており、オフィス３及びサーバルーム５への入場が入場管理システム１０００により管理されている。
【００１６】
以下、オフィス３は、ある会社の全従業員が入場可能な区画であり、サーバルーム５は、その会社のシステム管理者であるタグ装置２００のユーザのみが入場可能なセキュリティレベルの高い区画であるとする。また、オフィス３及びサーバルーム５のことを、「管理区画」ともいう。
【００１７】
ゲートユニット８は、各タグリーダから繰り返し送信される質問信号に呼応してタグ装置２００から送信された応答信号に含まれているタグ装置２００のタグＩＤ等に基づいて認証を行い、管理区画の扉４、６の電気錠７Ａ、７Ｂの解錠を制御するものである。
【００１８】
ここで、タグ装置２００は、各タグリーダから受信した質問信号のレベルが所定値以上である場合、又は、質問信号のレベルが所定値未満であっても、その質問信号に通信距離を制限しないことを示す情報が含まれている場合に応答信号を送信する。以下、この情報を「モード情報」という。
【００１９】
質問信号のレベルが所定値以上であるということは、質問信号のレベルが所定値以上になる程度に、タグ装置２００とその質問信号の送信元のタグリーダとが接近していることを表している。
【００２０】
従って、例えば、セキュリティレベルの高い管理区画（この例ではサーバルーム５）に設置されているタグリーダ１００Ａが送信する質問信号に、通信距離を制限することを示すモード情報を含ませるようにする。このようにすることで、タグリーダ１００Ａとタグ装置２００との間の距離が離れている場合に、タグ装置２００がタグリーダ１００Ａからの質問信号を受信しても応答信号を送信しないようにすることができる。即ち、タグリーダ１００Ａとタグ装置２００と通信距離を近距離に制限できる。
【００２１】
その結果、例えば、サーバルーム５の前を通り過ぎただけのユーザのタグ装置２００が、タグリーダ１００Ａからの質問信号に呼応して応答信号を送信してしまうことで、扉６が解錠され、このユーザとは異なる者が入場可能になるという事態の発生を防止できる。
【００２２】
＜構成＞
＜入場管理システム１０００＞
以下、入場管理システム１０００の構成について説明する。
【００２３】
図２は、実施の形態に係る入場管理システム１０００のシステム構成図である。
同図に示すように、入場管理システム１０００は、タグリーダ１００Ａ、１００Ｂ、タグ装置２００、ゲートユニット（ＧＵ）８を備える。
【００２４】
ここで、各タグリーダとＧＵ８とは、ケーブル（例えば、ＲＳ−４８５規格に準拠したもの）により接続されている。また、建物１内に備えられた１台の管理サーバ９と、ＧＵ８とは、ＬＡＮ（Local Area Network）を介して接続されている。
【００２５】
なお、同図では、入場管理システム１０００が、２台のタグリーダ１００Ａ、１００Ｂと１台のＧＵ８とを備える例を示しているが、これは一例であり、各装置の数はこれに限られない。入場管理システム１０００は、例えば、図１に示す以外の各区画への入場を管理するために、図２に示す各装置とは別に備えるタグリーダと、管理サーバ９とＬＡＮを介して接続するゲートユニットとを含んでもよい。
【００２６】
また、同図では、１台のタグ装置２００のみを示しているが、入場管理システム１０００のユーザそれぞれがタグ装置を保持しており、入場管理システム１０００は複数のタグ装置を備える。
【００２７】
ここで、電気錠７Ａ、７Ｂは、扉６、４に取り付けられており、通常はその扉を施錠しており、ＧＵ８からの指示を受けて、扉を解錠するものである。
ＧＵ８は、各タグリーダから受信したそのタグリーダの識別情報及びタグ装置２００のタグＩＤと、管理サーバ９から予め受信し記憶している管理領域に対する入場許可者リストとに基づいて認証を行い、認証ログを管理サーバ９に送信するものである。
【００２８】
なお、以下、タグリーダの識別情報を、「リーダＩＤ」という。また、認証ログは、認証に用いたリーダＩＤ、タグＩＤ、及び認証結果を含むデータである。
また、ＧＵ８は、特に認証が成功した場合に、認証に用いたリーダＩＤが示すタグリーダが設置されている管理区画の扉に取り付けられている電気錠に解錠を指示する。
【００２９】
管理サーバ９は、入場管理システム１０００の管理者等（以下、単に「システム管理者等」という）により予め登録され必要に応じて更新された入場許可者リスト及びＧＵ８から受信した認証ログを管理するものである。
【００３０】
この入場許可者リストは、入場を行う扉毎に、その扉の付近に設置されているタグリーダのリーダＩＤと、その扉からの入場を許可されたユーザが所持するタグ装置のタグＩＤとを対応付けたデータである。
【００３１】
なお、この入場許可者リストでは、タグリーダ１００Ａ及び１００Ｂの各リーダＩＤと、タグ装置２００のタグＩＤとが対応付けられているものとする。つまり、タグ装置２００のユーザは、オフィス３及びサーバルーム５に入場可能である。
【００３２】
また、管理サーバ９は、入場許可者リストがシステム管理者等により更新される毎に、更新されたデータをＧＵ８に送信する。これにより、管理サーバ９上の入場許可者リストと、ＧＵ８上の入場許可者リストとの整合が図られる。
【００３３】
タグリーダ１００Ａ、１００Ｂは、扉６、４の付近に設置され、自装置のリーダＩＤ及びモード情報を含む質問信号をＬＦ帯（３０〜３００ｋＨｚ）にて繰り返し送信するものである。
【００３４】
なお、質問信号はＬＦ帯にて送信されるため、この質問信号を受信可能なエリア（以下、「受信エリア」ともいう）の範囲は比較的狭い範囲に限られ、本実施の形態では、障害物がない状態で各タグリーダから１．５ｍ程度以内の範囲であるものとする。
【００３５】
また、各タグリーダは、タグ装置２００からの応答信号に含まれるタグＩＤ及び自装置のリーダＩＤをＧＵ８に送信する。
タグ装置２００は、いわゆるアクティブタグであり、ユーザに所持され、各タグリーダからの質問信号を受信可能な各受信エリアに入ると、この質問信号を受信し、受信した質問信号のレベル及びこの質問信号に含まれているモード情報の内容に応じた処理を行う。
【００３６】
即ち、タグ装置２００は、受信した質問信号のレベルが所定値以上である場合、又は受信した質問信号のレベルが所定値未満であっても、その質問信号に通信距離を制限しないことを示すモード情報が含まれている場合に、応答信号を送信する。
【００３７】
つまり、タグ装置２００は、受信した質問信号のレベルが所定値未満であり、その質問信号に通信距離を制限することを示すモード情報が含まれている場合には、応答信号を送信しない。
【００３８】
この応答信号は、自装置（タグ装置２００）のタグＩＤを含み、ＵＨＦ帯（３００ＭＨｚ〜３ＧＨｚ）にて送信される。従って、この応答信号を受信可能なエリアは比較的広い範囲となり、本実施の形態では、障害物がない状態でタグ装置から２０ｍ程度の範囲であるものとする。
【００３９】
以下、各タグリーダ及びタグ装置の構成について更に詳しく説明するが、タグリーダ１００Ａと１００Ｂの構成は同様であるため、以下では、タグリーダ１００Ａを例に説明する。
【００４０】
＜タグリーダ＞
まず、タグリーダ１００Ａの構成について説明する。
タグリーダ１００Ａは、同図に示すとおり、ＲＳ−４８５インタフェース１０１、ＬＦ信号送信回路１０２、ＲＦ信号受信回路１０３、記憶部１０４、制御部１０５を備える。
【００４１】
なお、タグリーダ１００Ａは、メモリ及びプロセッサを備え、メモリに記憶されているプログラムをプロセッサが実行することにより、制御部１０５の機能が実現される。
ここで、ＲＳ−４８５インタフェース１０１は、ＧＵ８とＲＳ−４８５規格に準拠したデータのやり取りを行う機能を有する。
【００４２】
ＬＦ信号送信回路１０２は、ＬＦアンテナの他、フィルタやアンプ等（不図示）を含み、制御部１０５の指示に従って伝達された質問信号をＬＦ帯の無線信号として送信する機能を有する。
【００４３】
ＲＦ信号受信回路１０３は、ＲＦアンテナの他、フィルタやアンプ等（不図示）を含み、タグ装置２００により送信された応答信号を受信し制御部１０５へ伝達する機能を有する。
【００４４】
記憶部１０４は、不揮発性メモリ等の記憶媒体により実現され、システム管理者等により予め設定されたモード情報及び自装置のリーダＩＤを記憶する機能を有する。
なお、タグリーダ１００Ａと１００Ｂとは同様の構成を有するものであるが、勿論リーダＩＤの設定値は異なり、また、この例では、モード情報の設定値も異なる。
【００４５】
以下では、タグリーダ１００Ａが記憶するモード情報は、通信距離を制限することを示すものとして「１」が設定されており、タグリーダ１００Ｂが記憶するモード情報は、通信距離を制限しないことを示すものとして「０」が設定されているものとする。
【００４６】
制御部１０５は、装置全体を制御する機能の他、記憶部１０４に記憶されている自装置のリーダＩＤを含む質問信号を生成し、生成した質問信号をＬＦ信号送信回路１０２に送信させる機能を有する。
【００４７】
また、制御部１０５は、自装置のリーダＩＤが含まれた応答信号をＲＦ信号受信回路１０３を介して受信した際に、そのリーダＩＤ及びその応答信号に含まれているタグＩＤをＲＳ−４８５インタフェース１０１を介してＧＵ８に送出する機能を有する。
【００４８】
＜タグ装置＞
次に、タグ装置２００の構成について説明する。
タグ装置２００は、同図に示すとおり、ＬＦ信号受信回路２０１、ＲＦ信号送信回路２０２、記憶部２０３、内蔵電池２０４、整流回路２０５、判定部２０６、制御部２０７を備える。
【００４９】
なお、タグ装置２００は、メモリ及びプロセッサを備え、メモリに記憶されているプログラムをプロセッサが実行することにより、判定部２０６及び制御部２０７の各機能が実現される。
【００５０】
ＬＦ信号受信回路２０１は、ＬＦアンテナの他、フィルタ、アンプ等（不図示）を含み、各タグリーダから受信した質問信号を制御部２０７に伝達する機能を有する。
ＲＦ信号送信回路２０２は、ＲＦアンテナの他、フィルタ、アンプ等（不図示）を含み、制御部２０７から伝達された応答信号をＲＦ帯の無線信号として送信する機能を有する。
【００５１】
記憶部２０３は、不揮発性メモリ等の記憶媒体により実現され、自装置のタグＩＤを記憶する機能を有する。
内蔵電池２０４は、タグ装置２００の各部に対し電力供給を行う機能を有する。
【００５２】
整流回路２０５は、ＬＦアンテナを介して受信した質問信号（電波）を整流し、直流電力を判定部２０６に出力する機能を有する。
判定部２０６は、整流回路２０５から出力された直流電力のレベルが、予め設定されている所定値以上であるか否かを判定し、判定結果を制御部２０７に送出する機能を有する。
【００５３】
質問信号を受信した際のタグ装置２００とその質問信号の送信元のタグリーダとの距離が短い程、整流回路２０５から出力された直流電力のレベルは高くなる。
従って、セキュリティレベルの高い管理区画に設置されているタグリーダとタグ装置２００との間で許可してもよい通信距離をシステム管理者等が定めることにより、上記所定値を、例えば、以下のようにして決定することが可能である。
【００５４】
即ち、例えば、タグ装置２００とタグリーダとの間の距離が許可してもよい通信距離（例えば数センチ程度）になるように、タグ装置２００をそのタグリーダに近づけた状態で、そのタグリーダから受信した質問信号を整流し得られた直流電力のレベルを測定する。この測定した直流電力のレベルを所定値とすればよい。
【００５５】
制御部２０７は、装置全体を制御する機能の他、ＬＦ信号受信回路２０１から質問信号が伝達された際に、判定部２０６から受領した判定結果及びその質問信号に含まれているモード情報の内容に応じて、応答信号を送信するか否かを制御する機能を有する。
【００５６】
制御部２０７は、判定部２０６からの判定結果が、受信した質問信号のレベルが所定値未満であることを示し、かつその質問信号に含まれているモード情報が通信距離を制限することを示す場合を除き、ＲＦ信号送信回路２０２を介して応答信号を送信する。
【００５７】
なお、制御部２０７は、この応答信号に、記憶部２０３に記憶されている自装置のタグＩＤ及び受信した質問信号に含まれているリーダＩＤを含ませて送信する。
＜データ＞
以下、入場管理システム１０００において、使用されるデータについて説明する。
【００５８】
＜質問信号＞
まず、タグリーダ１００Ａが生成し送信する質問信号について説明する。
図３（ａ）は、実施の形態に係る質問信号１０のデータ構成を示す図である。
【００５９】
質問信号１０は、同図に示すように、ＰＲ（PReamble）１１、ＵＷ（Unique Word）１２、モード情報１３、リーダＩＤ１４、及びＣＲＣ１５から構成される。
ここで、ＰＲ１１は、質問信号のデータの始まりを示すビット列（同期符号）であり、ＵＷ１２は、いわゆるフレーム同期信号である。
【００６０】
モード情報１３は、質問信号１０の送信元のタグリーダ１００Ａとタグ装置２００との間の通信距離を制限するか否かを示す情報である。なお、タグリーダ１００Ａが送信する質問信号のモード情報１３は必ず「１」に設定される。
【００６１】
リーダＩＤ１４は、質問信号の送信元であるタグリーダ１００Ａの識別情報であり、ＣＲＣ１５は、質問信号を受信したタグ装置２００が質問信号に誤りが発生しているか否かを検出するためのデータである。
【００６２】
なお、ここでは、タグリーダ１００Ａが生成し送信する質問信号について説明したが、タグリーダ１００Ｂが生成し送信する質問信号のデータ構造も同様である。但し、タグリーダ１００Ｂが生成する質問信号のモード情報１３は必ず「０」に設定される。
【００６３】
＜応答信号＞
次に、タグ装置２００が生成し送信する応答信号について説明する。
図３（ｂ）は、実施の形態に係る応答信号２０のデータ構成を示す図である。
【００６４】
応答信号２０は、同図に示すように、ＰＲ２１、ＵＷ２２、リーダＩＤ２３、タグＩＤ２４、ＣＲＣ２５から構成される。
ここで、ＰＲ２１は、応答信号のデータの始まりを示すビット列（同期符号）であり、ＵＷ２２は、いわゆるフレーム同期信号である。
【００６５】
また、リーダＩＤ２３は、受信した質問信号に含まれていたリーダＩＤ（識別情報）であり、タグＩＤ２４は、自装置のタグＩＤ（識別情報）である。
また、ＣＲＣ２５は、応答信号を受信したタグリーダが応答信号に誤りが発生しているか否かを検出するためのデータである。
【００６６】
＜動作＞
次に、上記構成を備え、上記データを取り扱う入場管理システム１０００の動作を説明する。
【００６７】
＜タグリーダ＞
まず、タグリーダ１００Ａの動作について説明する。
図４は、実施の形態に係るタグリーダ１００Ａの処理を示すフローチャートである。
【００６８】
タグリーダ１００Ａの電源がＯＮにされると、制御部１０５は、記憶部１０４に記憶されているモード情報とリーダＩＤとをモード情報１３とリーダＩＤ１４とに設定した質問信号を、ＬＦ信号送信回路１０２を介して送信する（ステップＳ１）。
【００６９】
なお、上述のとおり、タグリーダ１００Ａの記憶部１０４に記憶されているモード情報は「１」に設定されており、タグリーダ１００Ｂの記憶部１０４に記憶されているモード情報は「０」に設定されている。
【００７０】
続いて、制御部１０５は、ＲＦ信号受信回路１０３を介して応答信号を受信したか否かを判定し（ステップＳ２）、応答信号を受信した場合には（ステップＳ２：ＹＥＳ）、その応答信号に自装置のリーダＩＤが含まれているか否かを判定する（ステップＳ３）。
【００７１】
具体的には、制御部１０５は、応答信号に含まれているリーダＩＤ２３が、記憶部１０４に記憶されているリーダＩＤと一致する場合に、受信した応答信号に自装置のリーダＩＤが含まれていると判定する（ステップＳ３：ＹＥＳ）。
【００７２】
応答信号に自装置のリーダＩＤが含まれている場合に（ステップＳ３：ＹＥＳ）、制御部１０５は、自装置のリーダＩＤ及び応答信号に含まれているタグＩＤを、ＲＳ−４８５インタフェース１０１を介してＧＵ８に送信する（ステップＳ４）。
【００７３】
なお、ＧＵ８は、受信したリーダＩＤ及びタグＩＤを用いて、リーダＩＤが示すタグリーダ（この例ではタグリーダ１００Ａ）が設置されている管理領域への、そのタグＩＤが示すタグ装置（この例ではタグ装置２００）を所持するユーザの入場に係る認証を行う。特に、認証が成功した場合に、ＧＵ８は、その管理領域の扉（この例では扉６）に取り付けられている電気錠（この例では７Ａ）に解錠を指示し、認証ログを管理サーバ９に送信する。
【００７４】
ステップＳ４の処理を完了した場合、応答信号を受信しなかった場合（ステップＳ２：ＮＯ）、又は受信した応答信号に自装置のリーダＩＤが含まれていなかった場合（ステップＳ３：ＮＯ）には、制御部１０５は、再び、ステップＳ１から処理を行う。なお、制御部１０５は、一定周期（例えば、３００ｍｓ毎）になるように、ステップＳ１における質問信号の送信を行う。
【００７５】
＜タグ装置＞
次に、タグ装置２００の動作について説明する。
図５は、実施の形態に係るタグ装置２００の処理を示すフローチャートである。
【００７６】
タグ装置２００の制御部２０７は、ＬＦ信号受信回路２０１を介して質問信号を受信したか否かを判定し（ステップＳ１１）、受信していない場合には（ステップＳ１１：ＮＯ）、再びステップＳ１１の処理を行う。なお、制御部２０７は、一定周期（例えば、３００ｍｓ未満）になるように、ステップＳ１１の処理を行う。
【００７７】
質問信号を受信した場合に（ステップＳ１１：ＹＥＳ）、判定部２０６は、整流回路２０５から出力された直流電力のレベルが、所定値以上であるか否かを判定し、判定結果を制御部２０７に送出する（ステップＳ１２）。
【００７８】
制御部２０７は、判定部２０６から受領した判定結果が、給電量が所定値以上であることを示すか否かを判定する（ステップＳ１３）。
給電量が所定値以上であることを示す場合に（ステップＳ１３：ＹＥＳ）、制御部２０７は、質問信号に含まれていたリーダＩＤをリーダＩＤ２３に、記憶部２０３に記憶されているタグＩＤをタグＩＤ２４に設定した応答信号を送信する（ステップＳ１４）。ステップＳ１４の処理を完了すると、制御部２０７は、再びステップＳ１から処理を行う。
【００７９】
一方、判定結果が、給電量が所定値未満であることを示す場合に（ステップＳ１３：ＮＯ）、制御部２０７は、ステップＳ１１で受信した質問信号に含まれているモード情報１３の値が「０」であるか否かを判定する（ステップＳ１５）。
【００８０】
制御部２０７は、モード情報１３が「０」である場合には（ステップＳ１５：ＹＥＳ）、上記同様、応答信号を送信し（ステップＳ１４）、再びステップＳ１から処理を行う。
一方、モード情報１３の値が「１」である場合（ステップＳ１５：ＮＯ）、応答信号を送信することなく、再びステップＳ１１から処理を行う。
【００８１】
上述したように、タグリーダ１００Ａからの質問信号に含まれているモード情報１３の値は「１」であり、タグリーダ１００Ｂからの質問信号に含まれているモード情報１３の値は「０」である。
【００８２】
従って、タグリーダ１００Ｂから質問信号を受信した場合には、タグ装置２００は、給電量によらずに質問信号を送信することになる（ステップＳ１３：ＹＥＳ、ステップＳ１５：ＹＥＳ）。一方、タグリーダ１００Ａから質問信号を受信した場合には、タグ装置２００は、給電量が所定値以上であるときに限って質問信号を送信することになる（ステップＳ１３：ＹＥＳ、ステップＳ１５：ＮＯ）。
【００８３】
つまり、図１に示すオフィス３に入場したい場合に、タグ装置２００を所持するユーザは、タグリーダ１００Ｂからの質問信号を受信できる程度（障害物がない状態でタグリーダ１００Ｂから１．５ｍ程度以内）までタグリーダ１００Ｂに近づければ足りる。
【００８４】
一方、サーバルーム５に入場したい場合に、タグ装置２００を所持するユーザは、タグリーダ１００Ａとの間の距離が、例えば数センチ程度になるように、タグ装置２００をタグリーダ１００Ａに近づける必要がある。
【００８５】
従って、ユーザが、オフィス３のような比較的セキュリティレベルの低い区画に入場したい場合には、比較的遠距離（この例では、障害物がない状態でタグリーダ１００Ｂから１．５ｍ程度以内）から扉４を解錠でき、ユーザの利便性を優先できる。
【００８６】
また、サーバルーム５のようなセキュリティレベルの高い区画の前を通り過ぎた際に、このユーザが保持するタグ装置２００が、タグリーダ１００Ａからの質問信号に呼応して応答信号を送信し、扉６が解錠されてしまうことを防止できる。
【００８７】
つまり、タグ装置２００は、タグリーダ１００Ａとの通信距離を近距離に制限することができるので、入場の意図なく解錠された扉から誰でも入場が可能になってしまうといった事態の発生を適切に防止できる。
【００８８】
＜補足＞
以上、本発明に係るタグ装置を実施の形態に基づいて説明したが、以下のように変形することも可能であり、本発明は上述した実施の形態で示したとおりのタグ装置に限られないことは勿論である。
【００８９】
（１）実施の形態に係るタグ装置２００の制御部２０７は、質問信号を受信した場合に、受信した質問信号のレベル及び質問信号に含まれているモード情報の内容に基づいて、応答信号を送信するか否かを制御するものとして説明した。しかしながら、モード情報によらず、受信した質問信号のレベルのみに基づいて、応答信号を送信するか否かを制御するよう制御部２０７を変形してもよい。
【００９０】
この変形は、例えば、入場管理システム内の全てのタグリーダについて、この変形に係るタグ装置との間の通信距離を一律に制限したい場合に、特に有効である。
また、実施の形態では、タグ装置２００とタグリーダ１００Ａとの間の許可してもよい通信距離として、数センチ程度を例にして説明した。しかしながら、この許可してもよい通信距離は、入場の意思がないユーザが、タグリーダ１００Ａの前を通り過ぎた際に、解錠してしまうことを防止するという目的を達成できる距離（例えば、５０ｃｍ以下）であればよい。
【００９１】
このようにして、決定された許可してもよい通信距離に基づいて、実施の形態において説明したようにして測定した直流電力のレベルを所定値として用いて、タグ装置２００の判定部２０６は判定を行うことができる。
【００９２】
（２）実施の形態では、モード情報が「１」である場合には、通信距離を制限することを示し、モード情報が「０」である場合には、通信距離を制限しないことを示すものとして説明した。しかしながら、これは一例であり、モード情報は、通信距離を制限するか否かを示す情報であれば、どのようなものであってもよい。
【００９３】
（３）実施の形態に係るタグ装置２００の判定部２０６が判定に用いる所定値は予め設定されているものとして説明した。しかしながら、例えば、各タグリーダが送信する質問信号に、この所定値を示す情報を含ませて送信するよう各タグリーダを変形し、この情報に基づいて判定するよう判定部２０６を変形してもよい。この場合、この変形に係る判定部は、質問信号に含まれている所定値を示す情報を、制御部を介して取得することになる。
【００９４】
また、例えば、タグ装置２００に、ボタン等の所定の操作部を備えるようにし、その操作部を操作中に、タグリーダから受信した質問信号のレベルを所定値として記憶するようにしてもよい。
【００９５】
また、実施の形態では、タグ装置２００のメモリに記憶されているプログラムを、タグ装置２００のプロセッサが実行することで、判定部２０６の機能が実現されるものとして説明した。しかしながら、判定部２０６を、コンパレータ等の回路素子を用いて実現するようにしてもよい。
【００９６】
（４）実施の形態で示したタグ装置２００の処理（図５参照）をプロセッサに実行させるためのプログラムを、記録媒体に記録し又は各種通信路等を介して、流通させ頒布することもできる。このような記録媒体には、ＩＣカード、光ディスク、フレキシブルディスク、ＲＯＭ（Read Only Memory）、フラッシュメモリ等がある。流通、頒布されたプログラムは、機器におけるプロセッサで読み取り可能なメモリ等に格納されることにより利用に供され、そのプロセッサがそのプログラムを実行することにより実施の形態で示したタグ装置２００の各機能が実現される。
【００９７】
（５）実施の形態に係るタグ装置２００の各構成要素は、その全部又は一部を１チップ又は複数チップの集積回路として実現されてもよいし、コンピュータのプログラムで実現してもよいし、その他どのような形態で実現してもよい。
【００９８】
（６）以下、更に本発明の一実施形態に係るタグ装置の構成及びその変形例と各効果について説明する。
（ａ）本発明の実施の形態に係るタグ装置は、受信した質問信号のレベルが、所定値以上であるか否かの判定を行う判定手段と、前記判定手段が、前記レベルが所定値以上であるとの判定を行った場合には、自装置の識別情報を含ませた応答信号を送信し、前記判定手段が、前記レベルが所定値以上でないとの判定を行った場合には、前記応答信号を送信しないよう制御する制御手段とを備える。
【００９９】
このタグ装置によれば、受信した質問信号のレベルが所定値未満になる程度に、質問信号の送信元（タグリーダ等）とタグ装置との距離が離れている場合に、応答信号を送信しないよう制御する。
【０１００】
従って、このタグ装置によれば、上記所定値を適切に設定することにより、特別なユーザ操作によらずとも、タグ装置を所持したユーザが、タグリーダ等の付近を通り過ぎたに過ぎない場合に、扉が不測に解錠するのを効果的に抑制し得る。
【０１０１】
（ｂ）また、前記質問信号には、通信距離を制限するか否かを示す情報が含まれており、前記制御手段は、前記判定手段が、前記レベルが所定値以上でないとの判定を行った場合において、受信した質問信号に含まれている情報が通信距離を制限することを示すときに限って、前記応答信号を送信しないよう制御することとしてもよい。
【０１０２】
このタグ装置は、受信した質問信号のレベルが所定値未満になる程度に、質問信号の送信元とタグ装置との距離が離れている場合において、質問信号に通信距離を制限しない旨の情報が含まれているときには、応答信号を送信する。
【０１０３】
例えば、比較的セキュリティレベルの低い部屋の付近に設置されているタグリーダ等に、通信距離を制限しない旨の情報を含ませた質問信号を送信させるようにした場合、この質問信号を受信したタグ装置は、応答信号を送信することになる。
【０１０４】
つまり、タグリーダ等が設置される部屋のセキュリティレベルに応じて、そのタグリーダ等が送信する質問信号に含ませる情報の内容を変更することで、部屋のセキュリティレベルに応じて、タグリーダとタグ装置と間の通信距離を簡単に変更できる。
【０１０５】
（ｃ）また、前記質問信号は、ＬＦ帯にて送信されるものであり、前記判定手段は、前記質問信号を受信可能な当該質問信号の送信元と自装置との間の最大距離よりも近距離で当該質問信号を受信した場合の当該質問信号のレベルを前記所定値として前記判定を行うこととしてもよい。
【０１０６】
このタグ装置は、例えば、質問信号を受信可能な最大距離の付近で質問信号を受信した場合には、応答信号を送信しない。
従って、応答信号に含まれるタグ装置の識別情報を用いた入場管理を行う場合に、例えば、質問信号の送信元のタグリーダ等が設置されている通路を通り過ぎただけのユーザのタグ装置が応答信号を送信してしまうことを防止できる。
【０１０７】
即ち、このタグ装置によれば、特別なユーザ操作によらずとも、タグ装置を所持したユーザが、タグリーダ等の付近を通り過ぎたに過ぎない場合に、扉が不測に解錠するのを効果的に抑制し得る。
【０１０８】
（ｄ）また、前記判定手段は、前記質問信号の送信元と自装置との間の距離が５０ｃｍ以下である場合に当該質問信号を受信したときの当該質問信号のレベルを前記所定値として前記判定を行うこととしてもよい。
【０１０９】
このタグ装置は、例えば、質問信号の送信元のタグリーダ等からの距離が５０ｃｍより離れた位置で、このタグリーダ等から質問信号を受信した場合には、応答信号を送信しない。
【０１１０】
従って、タグ装置を所持したユーザが、タグリーダ等の付近を通り過ぎたに過ぎない場合に、扉が不測に解錠するのを効果的に抑制し得る。
（７）実施の形態に係るタグ装置２００に、上記（１）〜（６）の変形例の一部又は全部の変形を組み合わせて適用してもよい。
【０１１１】
（８）本発明に係るタグ装置が備える判定手段、制御手段は、実施の形態に係るタグ装置２００が備える判定部２０６、制御部２０７に相当する。
【符号の説明】
【０１１２】
２００    タグ装置
２０１    ＬＦ信号受信回路
２０２    ＲＦ信号送信回路
２０３    記憶部
２０４    内蔵電池
２０５    整流回路
２０６    判定部
２０７    制御部
【図１】
2012133463.tif 000003
【図２】
2012133463.tif 000004
【図３】
2012133463.tif 000005
【図４】
2012133463.tif 000006
【図５】
2012133463.tif 000007